(57)【要約】  基板収納容器は、容器本体と、蓋体と、側方基板支持部と、を備える。側方基板支持部は、平行な位置関係を有して複数の基板の縁部を支持する複数の板部と、板部を支持すると共に側壁に固定される板部支持部５２とを有し、板部支持部５２は、複数の板部に交差する方向へ複数の板部の全体にわたって直線状に延びる溝５２１Ａが形成された溝形成部５２１と、溝５２１Ａ内に形成され溝５２１Ａの延びる方向に直交する方向における溝５２１Ａの幅を狭めるように突出する突起５２２と、溝５２１Ａの延びる方向における溝５２１Ａの中央部に形成された被位置決め部５２３とを有する。また、側壁の内面には、溝５２１Ａに嵌合可能な直線状に延出する溝嵌合リブ部が存在し、溝嵌合リブ部の延出方向における溝嵌合リブ部の中央部には、被位置決め部を係止可能な位置決め部が存在する。
2014203359.tif 000002
【特許請求の範囲】
【請求項１】
一端部に容器本体開口部が形成され他端部が閉塞された筒状の壁部であって、奥壁、上壁、下壁、及び一対の側壁を有し前記上壁の一端部、前記下壁の一端部、及び前記側壁の一端部によって前記容器本体開口部が形成された壁部を備え、前記上壁の内面、前記下壁の内面、前記側壁の内面、及び前記奥壁の内面によって、複数の基板を収納可能であり前記容器本体開口部に連通する基板収納空間が形成された容器本体と、
前記容器本体開口部に対して着脱可能であり、前記容器本体開口部を閉塞可能な蓋体と、
前記基板収納空間内において対をなすように前記一対の側壁にそれぞれ固定されて配置され、前記蓋体によって前記容器本体開口部が閉塞されていないときに、前記複数の基板のうちの隣接する基板同士を所定の間隔で離間させて並列させた状態で、前記複数の基板の縁部を支持可能な側方基板支持部と、を備え、
前記側方基板支持部は、平行な位置関係を有して前記複数の基板の縁部を支持する複数の板部と、前記板部を支持すると共に前記側壁に固定される板部支持部とを有し、前記板部支持部は、前記複数の板部に交差する方向へ前記複数の板部の全体にわたって直線状に延びる溝が形成された溝形成部と、前記溝内に形成され前記溝の延びる方向に直交する方向における前記溝の幅を狭めるように突出する突起と、前記溝の延びる方向における前記溝の中央部に形成された被位置決め部とを有し、
前記側壁の内面には、前記溝に嵌合可能な直線状に延出する溝嵌合リブ部が存在し、前記溝嵌合リブ部の延出方向における前記溝嵌合リブ部の中央部には、前記被位置決め部を係止可能な位置決め部が存在する基板収納容器。
【請求項２】
前記側壁の奥壁側の部分は、奥側係止部を有し、
前記板部支持部は、前記板部の長手方向における一端部から他端部にわたって前記板部の側端縁に接続された板状の支持壁により構成され、
前記溝形成部は、前記容器本体開口部側の前記支持壁の部分である開口側部に存在し、
前記奥壁側の前記支持壁の部分である奥側部は、前記奥側係止部に係止可能な奥側被係止部を有する請求項１に記載の基板収納容器。
【請求項３】
前記板部支持部の前記奥側被係止部は、弾性変形可能であり前記溝の開口する方向に延びる被係止部延出部と、前記被係止部延出部の延出端部に形成され、前記溝の延びる方向に前記被係止部延出部よりも幅広に形成された被係止板部とを有し、
前記側壁の奥側係止部は、前記被係止部延出部を挿入可能であるが前記被係止板部を挿入不能とする狭い通路を形成する狭通路形成壁を有し、前記被係止部延出部が前記狭い通路に挿入されているときに、前記被係止板部は前記狭通路形成壁に係止される請求項２に記載の基板収納容器。
【請求項４】
前記板部支持部の奥側部の端部は、前記奥壁と前記容器本体開口部とを結ぶ方向及び前記上壁と前記下壁とを結ぶ方向に平行な平坦な端部面を有し、
前記被係止部延出部は、前記端部面よりも前記基板収納空間の内方へ突出せずに、前記端部面と一致する位置関係を有するか、又は、前記端部面よりも前記基板収納空間の外方へ位置している請求項３に記載の基板収納容器。
【請求項５】
前記被係止板部は、前記狭通路形成壁に係止されているときに、前記狭通路形成壁に当接可能な係合当接面を有する請求項３に記載の基板収納容器。
【請求項６】
前記板部支持部の奥側部の端部は、前記奥壁と前記容器本体開口部とを結ぶ方向及び前記上壁と前記下壁とを結ぶ方向に平行な平坦な端部面を有し、
前記係合当接面は、前記端部面よりも前記基板収納空間の内方へ突出せずに、前記端部面と一致する位置関係を有するか、又は、前記端部面よりも前記基板収納空間の外方へ位置している請求項５に記載の基板収納容器。
【請求項７】
前記係合当接面は、前記基板収納空間の内方へ向かうにつれて、前記容器本体開口部へ向かう斜面により構成されている請求項５又は請求項６に記載の基板収納容器。
【請求項８】
前記支持壁には、前記溝と平行の位置関係を有する直線状のリブが前記溝の略全体にわたって対向して存在する請求項２〜請求項７のいずれかに記載の基板収納容器。
【発明の詳細な説明】
【技術分野】
【０００１】
本発明は、半導体ウェーハ等の基板を収納する基板収納容器に関する。
【背景技術】
【０００２】
半導体ウェーハ等の基板を収納する容器としては、容器本体と、蓋体と、基板支持板状部とを備える構成のものが、従来より知られている。【０００３】
容器本体は、一端部に容器本体開口部が形成され、他端部が閉塞された筒状の壁部を有する。容器本体内には基板収納空間が形成されている。基板収納空間は、壁部により取り囲まれて形成されており、複数の基板を収納可能である。蓋体は、容器本体開口部に対して着脱可能であり、容器本体開口部を閉塞可能である。基板支持板状部は、基板収納空間内において対をなすように壁部に設けられている。基板支持板状部は、蓋体によって容器本体開口部が閉塞されていないときに、隣接する基板同士を所定の間隔で離間させて並列させた状態で、複数の基板の縁部を支持可能である。【０００４】
蓋体の部分であって容器本体開口部を閉塞しているときに基板収納空間に対向する部分には、フロントリテーナが設けられている。フロントリテーナは、蓋体によって容器本体開口部が閉塞されているときに、複数の基板の縁部を支持可能である。また、フロントリテーナと対をなすようにして、奥側基板支持部が壁部に設けられている。奥側基板支持部は、複数の基板の縁部を支持可能である。奥側基板支持部は、蓋体によって容器本体開口部が閉塞されているときに、フロントリテーナと協働して複数の基板を支持することにより、隣接する基板同士を所定の間隔で離間させて並列させた状態で、複数の基板を保持する。【０００５】
容器本体の壁部は、奥壁と、上壁と、下壁と、第１側壁と、第２側壁と、を有している。基板支持板状部は、一対設けられており、基板収納空間内において対をなすように第１側壁、第２側壁にそれぞれ固定されている。より具体的には、基板支持板状部には、孔部が形成されている。第１側壁、第２側壁に形成された凸部が、基板支持板状部の孔部に係合することにより、基板支持板状部は、第１側壁と、第２側壁とにそれぞれ固定される。
【先行技術文献】
【特許文献】
【０００６】
【特許文献１】国際公開第９９／３９９９４号パンフレット
【特許文献２】国際公開第２０１３／０２５６２９号パンフレット
【発明の概要】
【発明が解決しようとする課題】
【０００７】
前述のように、第１側壁、第２側壁に形成された凸部が、基板支持板状部の孔部に係合することにより、基板支持板状部は、第１側壁と、第２側壁とにそれぞれ固定されていたため、基板支持板状部に変形が生じた場合に、十分に基板支持板状部の変形を矯正することは困難であった。【０００８】
また、第１側壁、第２側壁に形成された凸部が、基板支持板状部の孔部に係合する構成を有していたため、互いに係合し合う孔部と凸部とにおいて、互いに寸法調整する必要があった。また、凸部を孔部ではなく溝に係合させようとする場合には、基板支持板状部を高い精度で第１側壁、第２側壁に固定させることは困難であった。【０００９】
本発明は、基板支持板状部に変形が生じた場合に、十分に基板支持板状部の変形を矯正することができ、且つ、高い寸法精度で基板支持板状部を第１側壁、第２側壁に固定させることができる基板収納容器を提供することを目的とする。
【課題を解決するための手段】
【００１０】
本発明は、一端部に容器本体開口部が形成され他端部が閉塞された筒状の壁部であって、奥壁、上壁、下壁、及び一対の側壁を有し前記上壁の一端部、前記下壁の一端部、及び前記側壁の一端部によって前記容器本体開口部が形成された壁部を備え、前記上壁の内面、前記下壁の内面、前記側壁の内面、及び前記奥壁の内面によって、複数の基板を収納可能であり前記容器本体開口部に連通する基板収納空間が形成された容器本体と、前記容器本体開口部に対して着脱可能であり、前記容器本体開口部を閉塞可能な蓋体と、前記基板収納空間内において対をなすように前記一対の側壁にそれぞれ固定されて配置され、前記蓋体によって前記容器本体開口部が閉塞されていないときに、前記複数の基板のうちの隣接する基板同士を所定の間隔で離間させて並列させた状態で、前記複数の基板の縁部を支持可能な側方基板支持部と、を備え、前記側方基板支持部は、平行な位置関係を有して前記複数の基板の縁部を支持する複数の板部と、前記板部を支持すると共に前記側壁に固定される板部支持部とを有し、前記板部支持部は、前記複数の板部に交差する方向へ前記複数の板部の全体にわたって直線状に延びる溝が形成された溝形成部と、前記溝内に形成され前記溝の延びる方向に直交する方向における前記溝の幅を狭めるように突出する突起と、前記溝の延びる方向における前記溝の中央部に形成された被位置決め部とを有し、前記側壁の内面には、前記溝に嵌合可能な直線状に延出する溝嵌合リブ部が存在し、前記溝嵌合リブ部の延出方向における前記溝嵌合リブ部の中央部には、前記被位置決め部を係止可能な位置決め部が存在する基板収納容器に関する。【００１１】
また、前記側壁の奥壁側の部分は、奥側係止部を有し、前記板部支持部は、前記板部の長手方向における一端部から他端部にわたって前記板部の側端縁に接続された板状の支持壁により構成され、前記溝形成部は、前記容器本体開口部側の前記支持壁の部分である開口側部に存在し、前記奥壁側の前記支持壁の部分である奥側部は、前記奥側係止部に係止可能な奥側被係止部を有することが好ましい。【００１２】
また、前記板部支持部の前記奥側被係止部は、弾性変形可能であり前記溝の開口する方向に延びる被係止部延出部と、前記被係止部延出部の延出端部に形成され、前記溝の延びる方向に前記被係止部延出部よりも幅広に形成された被係止板部とを有し、前記側壁の奥側係止部は、前記被係止部延出部を挿入可能であるが前記被係止板部を挿入不能とする狭い通路を形成する狭通路形成壁を有し、前記被係止部延出部が前記狭い通路に挿入されているときに、前記被係止板部は前記狭通路形成壁に係止されることが好ましい。【００１３】
また、前記板部支持部の奥側部の端部は、前記奥壁と前記容器本体開口部とを結ぶ方向及び前記上壁と前記下壁とを結ぶ方向に平行な平坦な端部面を有し、前記被係止部延出部は、前記端部面よりも前記基板収納空間の内方へ突出せずに、前記端部面と一致する位置関係を有するか、又は、前記端部面よりも前記基板収納空間の外方へ位置していることが好ましい。【００１４】
また、前記被係止板部は、前記狭通路形成壁に係止されているときに、前記狭通路形成壁に当接可能な係合当接面を有することが好ましい。【００１５】
また、前記板部支持部の奥側部の端部は、前記奥壁と前記容器本体開口部とを結ぶ方向及び前記上壁と前記下壁とを結ぶ方向に平行な平坦な端部面を有し、前記係合当接面は、前記端部面よりも前記基板収納空間の内方へ突出せずに、前記端部面と一致する位置関係を有するか、又は、前記端部面よりも前記基板収納空間の外方へ位置していることが好ましい。【００１６】
また、前記係合当接面は、前記基板収納空間の内方へ向かうにつれて、前記容器本体開口部へ向かう斜面により構成されていることが好ましい。【００１７】
また、前記支持壁には、前記溝と平行の位置関係を有する直線状のリブが前記溝の略全体にわたって対向して存在することが好ましい。
【発明の効果】
【００１８】
本発明によれば、基板支持板状部に変形が生じた場合に、十分に基板支持板状部の変形を矯正することができ、且つ、高い寸法精度で基板支持板状部を第１側壁、第２側壁に固定させることができる基板収納容器を提供することができる。
【図面の簡単な説明】
【００１９】
【図１】本発明の第１の実施形態に係る基板収納容器１を示す分解斜視図である。
【図２】本実施形態に係る基板収納容器１の容器本体２の基板収納空間２７に基板Ｗを収納した状態を示す分解斜視図である。
【図３】本発明の第１の実施形態に係る基板収納容器１の容器本体２を示す側方斜視図である。
【図４Ａ】本発明の第１の実施形態に係る基板収納容器１の容器本体２を示す側方断面図である。
【図４Ｂ】本発明の第１の実施形態に係る基板収納容器１の容器本体２を示す側方拡大断面図である。
【図５Ａ】本発明の第１の実施形態に係る基板収納容器１の基板支持板状部５を示す前方斜視図である。
【図５Ｂ】本発明の第１の実施形態に係る基板収納容器１の基板支持板状部５を示す拡大前方斜視図である。
【図６Ａ】本発明の第１の実施形態に係る基板収納容器１の基板支持板状部５を示す後方斜視図である。
【図６Ｂ】本発明の第１の実施形態に係る基板収納容器１の基板支持板状部５を示す拡大後方斜視図である。
【図６Ｃ】本発明の第１の実施形態に係る基板収納容器１の基板支持板状部５を示す平面図である。
【図６Ｄ】本発明の第１の実施形態に係る基板収納容器１の基板支持板状部５を示す拡大平面図である。
【図７】本発明の第１の実施形態に係る基板収納容器１の容器本体２の第１側壁２５に基板支持板状部５が固定された様子を示す側方斜視図である。
【図８Ａ】本発明の第１の実施形態に係る基板収納容器１の容器本体２に基板支持板状部５が固定された様子を示す要部平面断面図である。
【図８Ｂ】本発明の第１の実施形態に係る基板収納容器１の容器本体２に基板支持板状部５が固定された様子を示す平面拡大断面図である。
【図９Ａ】本発明の第２の実施形態に係る基板収納容器の基板支持板状部５Ｂを示す前方斜視図である。
【図９Ｂ】本発明の第２の実施形態に係る基板収納容器の基板支持板状部５Ｂを示す拡大前方斜視図である。
【図９Ｃ】本発明の第２の実施形態に係る基板収納容器の基板支持板状部５Ｂを示す平面断面図である。
【図９Ｄ】本発明の第２の実施形態に係る基板収納容器の基板支持板状部５Ｂの被係止部延出部５２６及び被係止板部５２７を示す拡大平面断面図である。
【図１０Ａ】本発明の第２の実施形態に係る基板収納容器の容器本体２に基板支持板状部５Ｂが固定された様子を示す要部平面断面図である。
【図１０Ｂ】本発明の第２の実施形態に係る基板収納容器の容器本体２に基板支持板状部５Ｂが固定された様子を示す平面拡大断面図である。
【図１１Ａ】本発明の第３の実施形態に係る基板収納容器の基板支持板状部５Ｃを示す前方斜視図である。
【図１１Ｂ】本発明の第３の実施形態に係る基板収納容器の基板支持板状部５Ｃを示す拡大前方斜視図である。
【図１１Ｃ】本発明の第３の実施形態に係る基板収納容器の基板支持板状部５Ｃを示す平面断面図である。
【図１１Ｄ】本発明の第３の実施形態に係る基板収納容器の基板支持板状部５Ｃの被係止部延出部５２６Ｃ及び被係止板部５２７を示す拡大平面断面図である。
【発明を実施するための形態】
【００２０】
以下、本発明の第１実施形態に係る基板収納容器１について、図面を参照しながら説明する。図１は、本発明の第１の実施形態に係る基板収納容器１を示す分解斜視図である。図２は、本実施形態に係る基板収納容器１の容器本体２の基板収納空間２７に基板Ｗを収納した状態を示す分解斜視図である。図３は、本発明の第１の実施形態に係る基板収納容器１の容器本体２を示す側方斜視図である。図４Ａは、本発明の第１の実施形態に係る基板収納容器１の容器本体２を示す側方断面図である。図４Ｂは、本発明の第１の実施形態に係る基板収納容器１の容器本体２を示す側方拡大断面図である。
【００２１】
図５Ａは、本発明の第１の実施形態に係る基板収納容器１の基板支持板状部５を示す前方斜視図である。図５Ｂは、本発明の第１の実施形態に係る基板収納容器１の基板支持板状部５を示す拡大前方斜視図である。図６Ａは、本発明の第１の実施形態に係る基板収納容器１の基板支持板状部５を示す後方斜視図である。図６Ｂは、本発明の第１の実施形態に係る基板収納容器１の基板支持板状部５を示す拡大後方斜視図である。図６Ｃは、本発明の第１の実施形態に係る基板収納容器１の基板支持板状部５を示す平面図である。図６Ｄは、本発明の第１の実施形態に係る基板収納容器１の基板支持板状部５を示す拡大平面図である。
【００２２】
図７は、本発明の第１の実施形態に係る基板収納容器１の容器本体２の第１側壁２５に基板支持板状部５が固定された様子を示す側方斜視図である。図８Ａは、本発明の第１の実施形態に係る基板収納容器１の容器本体２に基板支持板状部５が固定された様子を示す要部平面断面図である。図８Ｂは、本発明の第１の実施形態に係る基板収納容器１の容器本体２に基板支持板状部５が固定された様子を示す平面拡大断面図である。
【００２３】
ここで、説明の便宜上、後述の容器本体２から蓋体３へ向かう方向（図１における左下方向）を前方向Ｄ１１と定義し、その反対の方向を後方向Ｄ１２と定義し、これらを前後方向Ｄ１と定義する。また、後述の下壁２４から上壁２３へと向かう方向（図１における上方向）を上方向Ｄ２１と定義し、その反対の方向を下方向Ｄ２２と定義し、これらを上下方向Ｄ２と定義する。また、後述する第２側壁２６から第１側壁２５へと向かう方向（図１における左上方向）を左方向Ｄ３１と定義し、その反対の方向を右方向Ｄ３２と定義し、これらを左右方向Ｄ３と定義する。
【００２４】
また、基板収納容器１に収納される基板Ｗ（図２参照）は、円盤状のシリコンウェーハ、ガラスウェーハ、サファイアウェーハ等であり、産業に用いられる薄いものである。本実施形態における基板Ｗは、直径４５０ｍｍのシリコンウェーハである。
【００２５】
図１に示すように、基板収納容器１は、容器本体２と、蓋体３と、側方基板支持部としての基板支持板状部５とを有している。
【００２６】
容器本体２は、一端部に容器本体開口部２１が形成され、他端部が閉塞された筒状の壁部２０を有する。容器本体２内には基板収納空間２７が形成されている。基板収納空間２７は、壁部２０により取り囲まれて形成されている。壁部２０の部分であって基板収納空間２７を形成している部分には、基板支持板状部５が配置されている。図２に示すように、基板収納空間２７には、複数の基板Ｗを収納可能である。
【００２７】
基板支持板状部５は、基板収納空間２７内において左右方向Ｄ３に対をなすように壁部２０に設けられている。基板支持板状部５は、蓋体３によって容器本体開口部２１が閉塞されていないときに、隣接する基板Ｗ同士を所定の間隔で離間させて並列させた状態で、複数の基板Ｗの縁部を支持可能である。基板支持板状部５の奥側には、奥側基板支持部６（図７等参照）が設けられている。奥側基板支持部６は、蓋体３によって容器本体開口部２１が閉塞されているときに、複数の基板Ｗの縁部の後部を支持可能である。
【００２８】
蓋体３は、容器本体開口部２１に対して着脱可能であり、容器本体開口部２１を閉塞可能である。蓋体３の部分であって蓋体３によって容器本体開口部２１が閉塞されているときに基板収納空間２７に対向する部分（図１に示す蓋体３の裏側の面）には、フロントリテーナ（図示せず）が設けられている。フロントリテーナ（図示せず）は、奥側基板支持部６と対をなすように配置されている。
【００２９】
フロントリテーナ（図示せず）は、蓋体３によって容器本体開口部２１が閉塞されているときに、複数の基板Ｗの縁部の前部を支持可能である。フロントリテーナ（図示せず）は、蓋体３によって容器本体開口部２１が閉塞されているときに、奥側基板支持部６と協働して複数の基板Ｗを支持することにより、隣接する基板Ｗ同士を所定の間隔で離間させて並列させた状態で、複数の基板Ｗを保持する。
【００３０】
図１に示すように、壁部２０を構成する後述する一対の側壁２５、２６には、側壁２５、２６の外面に沿うように、ハンドリング部材８がそれぞれ一対の側壁の外面に対向して配置されて設けられている。ハンドリング部材８のリブ８２の下部がフォークリフト（図示せず）のフォークにより支持されることによって、基板収納容器１はフォークリフトにより持ち上げることができる。以下、各部について、詳細に説明する。
【００３１】
図１に示すように、容器本体２の壁部２０は、奥壁２２と上壁２３と下壁２４と第１側壁２５と第２側壁２６とを有する。奥壁２２、上壁２３、下壁２４、第１側壁２５、及び第２側壁２６は、プラスチック材等により構成されており、第１実施形態では、ポリカーボネートにより一体成形されて構成されている。
【００３２】
第１側壁２５と第２側壁２６とは対向しており、上壁２３と下壁２４とは対向している。上壁２３の後端、下壁２４の後端、第１側壁２５の後端、及び第２側壁２６の後端は、全て奥壁２２に接続されている。上壁２３の前端、下壁２４の前端、第１側壁２５の前端、及び第２側壁２６の前端は、奥壁２２に対向する位置関係を有し、略長方形状をした容器本体開口部２１を形成する開口周縁部２８を構成する。
【００３３】
開口周縁部２８は、容器本体２の一端部に設けられており、奥壁２２は、容器本体２の他端部に位置している。壁部２０の外面により形成される容器本体２の外形は箱状である。壁部２０の内面、即ち、奥壁２２の内面、上壁２３の内面、下壁２４の内面、第１側壁２５の内面、及び第２側壁２６の内面は、これらによって取り囲まれた基板収納空間２７を形成している。開口周縁部２８に形成された容器本体開口部２１は、壁部２０により取り囲まれて容器本体２の内部に形成された基板収納空間２７に連通している。基板収納空間２７には、最大で２５枚の基板Ｗを、基板Ｗの上面及び下面が略水平となる位置関係で収納可能である。
【００３４】
図１に示すように、上壁２３及び下壁２４の部分であって、開口周縁部２８の近傍の部分には、基板収納空間２７の外方へ向かって窪んだラッチ係合凹部２３１Ａ、２３１Ｂ、２４１Ａ、２４１Ｂが形成されている。ラッチ係合凹部２３１Ａ、２３１Ｂ、２４１Ａ、２４１Ｂは、上壁２３及び下壁２４の左右両端部近傍に１つずつ、計４つ形成されている。
【００３５】
図１に示すように、上壁２３の外面においては、フランジ固定部（図示せず）及びリブ２３５Ａ、２３５Ｂが、上壁２３と一体成形されて設けられている。フランジ固定部（図示せず）は、上壁２３の中央部に配置されている。フランジ固定部（図示せず）には、図１に示すように、トップフランジ２３６が固定される。トップフランジ２３６は、上壁２３の中央部に配置されている。トップフランジ２３６は、ＡＭＨＳ（自動ウェーハ搬送システム）、ＰＧＶ（ウェーハ基板搬送台車）等において基板収納容器１を吊り下げる際に、吊り上げ部材としてのこれらの機械のアーム（図示せず）に掛けられ、これにより基板収納容器１は、アームに吊り下げられる。
【００３６】
リブ２３５Ａは、トップフランジ２３６から左前方向、右前方向にそれぞれ複数本延びている。また、リブ２３５Ｂは、トップフランジ２３６から前方向Ｄ１１に複数本延びており、また、トップフランジ２３６から後方向Ｄ１２に複数本延びている。
【００３７】
第１側壁２５は、第２側壁２６と左右対称形状を有するため、以下、第１側壁２５についてのみ説明し、第２側壁２６については、説明を省略する。図１〜図３等に示すように、第１側壁２５は、奥部外面窪み部２５４を有している。また、図３に示すように、第１側壁２５は、溝嵌合リブ部２５１と、前方凸部２５２と、奥側係止部としての狭通路形成壁２５３と、を有する。
【００３８】
図１、図８Ａに示すように、奥部外面窪み部２５４は、開口周縁部２８から後方向Ｄ１２に向かって徐々に左右方向Ｄ３における第１側壁２５と側壁２６との間の距離が小さくなるように、階段状に形成されている。
【００３９】
特に、図８Ａに示すように、第１側壁２５の奥側（後ろ側）における奥部外面窪み部２５４の部分は、基板収納空間２７（図１参照）に収納された円盤状の基板Ｗ（図２参照）の周縁に沿って、一対の側壁２５、２６の外面が階段状に窪んでおり、第１側壁２５の前側における奥部外面窪み部２５４の部分よりも左右方向Ｄ３における段差が大きく構成されている。奥部外面窪み部２５４の内面も、奥部外面窪み部２５４の外面と同様に階段状を有している。
【００４０】
図４Ａに示すように、溝嵌合リブ部２５１は、第１側壁２５の内面の部分であって、前後方向における容器本体２の奥行きの略３分の１程度、開口周縁部２８から後方向Ｄ１２へ向かった部分に存在している。この部分には、階段状の奥部外面窪み部２５４の最も前方向Ｄ１１に位置する段部２５４Ｇ（図３等）が存在する。溝嵌合リブ部２５１は、第１側壁２５の内面の部分であって、当該段部２５４Ｇの内方へ入った部分から、前方向へ向かって突出しており、上下方向Ｄ２に直線状に延出している。
【００４１】
溝嵌合リブ部２５１は、後述する溝５２１Ａに嵌合可能である。上下方向Ｄ２における溝嵌合リブ部２５１の中央部には、位置決め部としての位置決め溝２５１Ａが形成されている。位置決め溝２５１Ａは、溝嵌合リブ部２５１の突出端である前端から後方向Ｄ１２へ向かって切欠いたように形成されており、後述の被位置決め部としての位置合せリブ５２３が係合可能である。
【００４２】
図３等に示すように、前方凸部２５２は、階段状の奥部外面窪み部２５４の一部であって、奥壁２２から１段目の部分２５４Ｂ（奥壁２２と略平行な壁面を有する部分（図８Ｂ参照））の内面に存在している。前方凸部２５２は、奥部外面窪み部２５４の上端部近傍、下端部近傍、及び上下方向Ｄ２における中央部に計３つ設けられている。前方凸部２５２は、正面視では、それぞれ上下方向Ｄ２に長いコの字形状を有しており、前方向Ｄ１１へ突出している。前方凸部２５２には、後述の支持壁５２の端部係合部としてのロの字状枠部５２５Ｃが係合可能である。
【００４３】
また、図３等に示すように、１段目の部分２５４Ｂ（図８Ｂ参照）と、奥壁２２から１段目の部分２５４Ｂへ向かう部分２５４Ａとの接続部分は、容器本体２の外方へ突出する外方突出部２５４Ｈを有している。外方突出部２５４Ｈの内面は、容器本体２の外方へ窪んだ凹部を形成している。外方突出部２５４Ｈは、上下方向Ｄ２において対をなして形成されている。外方突出部２５４Ｈは、上下方向Ｄ２において、３つの前方凸部２５２のうちの上側の前方凸部２５２と中央の前方凸部２５２との間の位置と、下側の前方凸部２５２と中央の前方凸部２５２との間の位置とに存在している。
【００４４】
図４Ｂに示すように、狭通路形成壁２５３は、各外方突出部２５４Ｈにおいてそれぞれ１対ずつ存在している。狭通路形成壁２５３は、上下方向において外方突出部２５４Ｈの前方の上部の３分の１及び下部の３分の１程度を遮るように、外方突出部２５４Ｈの内面から基板収納空間２７の内方（右方向Ｄ３２）へ突出している。対をなしている狭通路形成壁２５３の間の部分は、狭い通路２５３Ａを形成している。外方突出部２５４Ｈの内面により形成される空間２５３Ｂは、前方向Ｄ１１においては、狭い通路２５３Ａを通して、基板収納空間２７の部分であって狭通路形成壁２５３よりも前の部分と連通している。空間２５３Ｂについては、基板収納空間２７の内方へ向かう方向（右方向Ｄ３２）においては、特に、遮るものは存在せず、基板収納空間２７の部分であって、空間２５３Ｂ以外の部分と連通している。
【００４５】
基板支持板状部５（図１参照）は、第１側壁２５及び第２側壁２６にそれぞれ設けられて、左右方向Ｄ３において対をなすようにして基板収納空間２７内に配置されている。具体的には、図５Ａ等に示すように、基板支持板状部５は、板部５１と板部支持部としての支持壁５２とを有している。
【００４６】
板部５１と支持壁５２とは、樹脂が一体成形されて構成され、これにより板部５１は、支持壁５２によって支持されている。板部５１は、板状の略弧形状を有している。板部５１は、第１側壁２５、第２側壁２６それぞれに、上下方向Ｄ２に２５枚ずつ計５０枚設けられている。隣接する板部５１は、上下方向Ｄ２において１０ｍｍ〜１２ｍｍ間隔で互いに離間して平行な位置関係で配置されている。なお、最も上に位置する板部５１の上方には、もう一枚板部５１と平行に板状の部材５９が配置されているが、これは、最も上に位置して基板収納空間２７内へ挿入される基板Ｗに対して、当該挿入の際のガイドの役割をする部材である。
【００４７】
また、第１側壁２５に設けられた２５枚の板部５１と、第２側壁２６に設けられた２５枚の板部５１とは、互いに左右方向Ｄ３において対向する位置関係を有している。また、５０枚の板部５１、及び、板部５１と平行な板状のガイドの役割をする部材５９は、下壁２４の内面に平行な位置関係を有している。図５Ａに示すように、板部５１の上面には、凸部５１１が設けられている。板部５１に支持された基板Ｗは、凸部５１１の突出端にのみ接触し、面で板部５１に接触しない。
【００４８】
支持壁５２は、図６Ａに示すように、上下方向Ｄ２及び略前後方向Ｄ１に延びる板状の支持壁５２により構成されている。支持壁５２は、図６Ａ〜図６Ｃに示すように、板部５１の長手方向における一端部から他端部にわたって、板部５１の側端縁に接続されている。板状の支持壁５２は、板部５１の外側端縁に沿って基板収納空間２７へ湾曲している。
【００４９】
即ち、第１側壁２５に設けられた２５枚の板部５１は、第１側壁２５側に設けられた支持壁５２に接続されている。同様に、第２側壁２６に設けられた２５枚の板部５１は、第２側壁２６側に設けられた支持壁５２に接続されている。支持壁５２は、第１側壁２５、第２側壁２６にそれぞれ固定される。
【００５０】
支持壁５２は、溝形成部５２１と、突起５２２と、被位置決め部としての位置合せリブ５２３と、直線状のリブ５２４と、端部面５２５Ａと、奥側被係止部としての被係止部延出部５２６及び被係止板部５２７と、を有する。図６Ａ等に示すように、溝形成部５２１は、容器本体開口部２１の側の支持壁５２の部分（開口側部）に存在している。より具体的には、開口側部とは、支持壁５２の前端部近傍を意味しており、溝形成部５２１は、支持壁５２の当該前端部近傍に存在している。
【００５１】
溝形成部５２１は、平面視で、基板収納空間２７外方へ延びて直角に折れ曲がり、後方へ延びる略Ｌ字形状を有している。溝形成部５２１と支持壁５２の外面５２Ａとにより、後方向Ｄ１２へ向けて開口する溝５２１Ａが形成されている。溝５２１Ａは、複数の板部５１に交差する方向、具体的には、上下方向Ｄ２へ、２５枚の板部５１の全体にわたって直線状に延びている。
【００５２】
突起５２２は、溝５２１Ａ内に計１２個形成されている。突起５２２は、上下方向Ｄ２において溝５２１Ａを上側と下側とに分けた場合に、溝５２１Ａの上側及び下側それぞれの上端部、中央部、及び、下端部に、それぞれ２つずつ、所定の間隔を隔てて存在している。突起５２２は、溝５２１Ａを形成している支持壁５２の外面５２Ａから基板収納空間２７外方（左方向Ｄ３１）へ突出している。これにより、突起５２２は、溝５２１Ａの延びる方向に直交する方向、即ち、左右方向Ｄ３における溝５２１Ａの幅を狭めて、所定の幅としている。
【００５３】
図６Ａに示すように、位置合せリブ５２３は、溝５２１Ａの延びる方向である上下方向Ｄ２における溝５２１Ａの中央部に形成されている。位置合せリブ５２３は、図６Ｂ等に示すように、溝形成部５２１から支持壁５２の外面５２Ａに至るまで延びており、溝５２１Ａを上側の部分と下側の部分とに分割するように形成されている。上下方向Ｄ２における位置合せリブ５２３の幅は、同方向における位置決め溝２５１Ａ（図３等）の幅と同等又は同方向における位置決め溝２５１Ａの幅より小さい。従って、位置決め溝２５１Ａには、位置合せリブ５２３を挿入可能であり、この挿入により、位置決め溝２５１Ａは、位置合せリブ５２３を係止する。
【００５４】
図６Ａに示すように、直線状のリブ５２４は、支持壁５２の外面５２Ａであって、前後方向Ｄ１における略中央位置に存在している。図６Ｃ、図６Ｄに示すように、直線状のリブ５２４は、平面視で、基板収納空間２７外方へ延び、直角に折れ曲がり、後方へ延びる略Ｌ字形状を有している。直線状のリブ５２４は、溝５２１Ａ（図６Ａ）と平行の位置関係を有して上下方向に延びており、溝５２１Ａの略全体にわたって対向して存在する。
【００５５】
支持壁５２の奥側部の端部、即ち、支持壁５２の後方向Ｄ１２の端部は、端部壁５２５を有する。端部壁５２５は、前後方向Ｄ１及び上下方向Ｄ２に平行な位置関係を有する板状を有している。端部壁５２５は、基板収納空間２７の内方側の端部壁５２５の面である端部面５２５Ａを有している。端部面５２５Ａは、奥壁２２と容器本体開口部２１とを結ぶ方向である前後方向Ｄ１、及び、上壁２３と下壁２４とを結ぶ方向である上下方向Ｄ２に平行な平坦な面により構成されている。
【００５６】
図５Ａ、図５Ｂ等に示すように、端部壁５２５には、上下２箇所に前方向Ｄ１１へ窪んだ凹部５２５Ｂが形成されており、被係止部延出部５２６は、凹部５２５Ｂに存在している。被係止部延出部５２６は、凹部５２５Ｂを形成している端部壁５２５の部分と一体成形されて接続されている。被係止部延出部５２６は、端部壁５２５と平行な位置関係を有して、凹部５２５Ｂを構成している端部壁５２５の部分から、溝５２１Ａの開口する方向である後方向Ｄ１２へ延出している。
【００５７】
被係止部延出部５２６は、端部面５２５Ａの法線方向（左右方向Ｄ３）へ揺動するように弾性変形可能である。上下方向Ｄ２における被係止部延出部５２６の幅は、対をなしている狭通路形成壁２５３の間の狭い通路２５３Ａ（図４Ｂ参照）の幅よりも小さい。従って、当該狭い通路２５３Ａには、被係止部延出部５２６を挿入可能である。図８Ｂ等に示すように、被係止部延出部５２６は、端部面５２５Ａよりも基板収納空間２７の内方（右方向Ｄ３２）へ突出していない。被係止部延出部５２６の基板収納空間２７の内方側の面（図８Ｂにおける被係止部延出部５２６の右端面）は、端部面５２５Ａと一致する位置関係（面一の位置関係）を有している。
【００５８】
図５Ｂに示すように、被係止板部５２７は、被係止部延出部５２６の延出端部に一体成形されて形成されて接続されている。被係止板部５２７は、被係止部延出部５２６の延出端部から、被係止部延出部５２６の延出する方向（後方向Ｄ１２）へ僅かに延び、基板収納空間２７の内方へ折れ曲がって延出し、更に、後方向Ｄ１２へ折れ曲がって僅かに延びている。図５Ｂに示すように、被係止板部５２７は、溝５２１Ａの延びる方向である上下方向Ｄ２において、被係止部延出部５２６よりも幅広に形成されている。このため、上下方向Ｄ２における被係止板部５２７の幅は、対をなしている狭通路形成壁２５３（図４Ｂ参照）の間の狭い通路２５３Ａの幅よりも大きい。従って、狭い通路２５３Ａには、被係止板部５２７を挿入不能である。被係止板部５２７の広い板状の部分５２８は、全体として略台形の略板状を有しており、上下方向Ｄ２における被係止板部５２７の幅は、被係止板部５２７の板状の部分５２８の延出する方向へ僅かに被係止板部５２７が先細りするように、小さくなっている。
【００５９】
被係止部延出部５２６の延出端部に接続されている被係止板部５２７の部分の上側及び下側の部分、即ち、被係止板部５２７の前端は、係合当接面５２９を有している。係合当接面５２９は、図８Ｂに示すように、上下方向Ｄ２及び左右方向Ｄ３に平行な位置関係を有している。係合当接面５２９は、後述のように、被係止板部５２７が狭通路形成壁２５３に係止されることにより、支持壁５２が第１側壁２５に固定されているときに、狭通路形成壁２５３の後方向Ｄ１２の側の面２５３Ｃに、面当接する。係合当接面５２９は、図８Ｂ等に示すように、端部面５２５Ａよりも基板収納空間２７の内方へ突出せずに、端部面５２５Ａよりも基板収納空間２７の外方へ位置している。
【００６０】
図６Ａに示すように、端部壁５２５の後端には、それぞれ長方形の貫通孔が形成された３つのロの字状枠部５２５Ｃが存在している。３つのロの字状枠部５２５Ｃは、上下方向Ｄ２において等間隔で位置しており、ロの字状枠部５２５Ｃの貫通孔は、前後方向Ｄ１に開口している。ロの字状枠部５２５Ｃの貫通孔には、前方凸部２５２（図３等参照）をそれぞれ挿入可能である。
【００６１】
以上のような構成の基板支持板状部５が第１側壁２５、第２側壁２６に固定され、基板支持板状部５は、複数の基板Ｗのうちの隣接する基板Ｗ同士を、所定の間隔で離間した状態で且つ互いに平行な位置関係とした状態で、複数の基板Ｗの縁部を支持可能である。
【００６２】
奥側基板支持部６は、図５Ｂに示すように、壁部基板支持部６０を有している。壁部基板支持部６０は、基板支持板状部５の板部５１の後端部及び支持壁５２の後端部に、板部５１及び支持壁５２と一体で成形されている。なお、奥側基板支持部６は、基板支持板状部５とは別体、即ち、壁部基板支持部６０は、基板支持板状部５の板部５１及び支持壁５２とは別体で構成されていてもよい。
【００６３】
壁部基板支持部６０は、基板収納空間２７に収納可能な基板Ｗの一枚毎に対応した個数、具体的には、２５個設けられている。第１側壁２５及び第２側壁２６に設けられた壁部基板支持部６０は、前後方向Ｄ１において、後述するフロントリテーナ（図示せず）と対をなすような位置関係を有している。基板収納空間２７内に基板Ｗが収納され、蓋体３が閉じられることにより、壁部基板支持部６０は、基板Ｗの縁部の端縁を挟持する。
【００６４】
図１に示すように、蓋体３は、容器本体２の開口周縁部２８の形状と略一致する略長方形状を有している。蓋体３は容器本体２の開口周縁部２８に対して着脱可能であり、開口周縁部２８に蓋体３が装着されることにより、蓋体３は、容器本体開口部２１を閉塞可能である。蓋体３の内面（図１に示す蓋体３の裏側の面）であって、蓋体３が容器本体開口部２１を閉塞しているときの開口周縁部２８のすぐ後方向Ｄ１２の位置に形成された段差の部分の面（シール面２８１）に対向する面には、環状のシール部材４が取り付けられている。シール部材４は、弾性変形可能なＰＯＥ（ポリオキシエチレン）製、ＰＥＥ製をはじめ、ポリエステル系、ポリオレフィン系など各種熱可塑性エラストマー、フッ素ゴム製、シリコンゴム製等である。シール部材４は、蓋体３の外周縁部を一周するように配置されている。
【００６５】
蓋体３が開口周縁部２８に装着されたときに、シール部材４は、シール面２８１と蓋体３の内面とにより挟まれて弾性変形し、蓋体３は、容器本体開口部２１を密閉した状態で閉塞する。開口周縁部２８から蓋体３が取り外されることにより、容器本体２内の基板収納空間２７に対して、基板Ｗを出し入れ可能となる。
【００６６】
蓋体３においては、ラッチ機構が設けられている。ラッチ機構は、蓋体３の左右両端部近傍に設けられており、図１に示すように、蓋体３の上辺から上方向Ｄ２１へ突出可能な２つの上側ラッチ部３２Ａと、蓋体３の下辺から下方向Ｄ２２へ突出可能な２つの下側ラッチ部（図示せず）と、を備えている。２つの上側ラッチ部３２Ａは、蓋体３の上辺の左右両端近傍に配置されており、２つの下側ラッチ部は、蓋体３の下辺の左右両端近傍に配置されている。
【００６７】
蓋体３の外面においては操作部３３が設けられている。操作部３３を蓋体３の前側から操作することにより、上側ラッチ部３２Ａ、下側ラッチ部（図示せず）を蓋体３の上辺、下辺から突出させることができ、また、上辺、下辺から突出させない状態とすることができる。上側ラッチ部３２Ａが蓋体３の上辺から上方向Ｄ２１へ突出して、容器本体２のラッチ係合凹部２３１Ａ、２３１Ｂに係合し、且つ、下側ラッチ部が蓋体３の下辺から下方向Ｄ２２へ突出して、容器本体２のラッチ係合凹部２４１Ａ、２４１Ｂに係合することにより、蓋体３は、容器本体２の開口周縁部２８に固定される。
【００６８】
蓋体３の内側においては、基板収納空間２７の外方へ窪んだ凹部（図示せず）が形成されている。凹部（図示せず）及び凹部の外側の蓋体３の部分には、フロントリテーナ（図示せず）が固定されて設けられている。
【００６９】
フロントリテーナは、フロントリテーナ基板受け部（図示せず）を有している。フロントリテーナ基板受け部は、左右方向Ｄ３に所定の間隔で離間して対をなすようにして２つずつ配置されている。このように対をなすようにして２つずつ配置されたフロントリテーナ基板受け部は、上下方向Ｄ２に２５対並列した状態で設けられている。基板収納空間２７内に基板Ｗが収納され、蓋体３が閉じられることにより、フロントリテーナ基板受け部は、基板Ｗの縁部の端縁を挟持して支持する。
【００７０】
上記構成の基板収納容器１において、基板支持板状部５の第１側壁２５に対する着脱は、以下のようにして行われる。
【００７１】
基板支持板状部５を第１側壁２５に装着させるときには、先ず、位置決め溝２５１Ａ（図３参照）に位置合せリブ５２３（図６Ｂ参照）を挿入させるようにして、溝５２１Ａ（図６Ｂ参照）に溝嵌合リブ部２５１（図３参照）を嵌合させると同時に、ロの字状枠部５２５Ｃ（図６Ａ参照）の貫通孔に前方凸部２５２（図３参照）を挿入可能に、ロの字状枠部５２５Ｃの貫通孔に前方凸部２５２を近接配置させる。そして、被係止部延出部５２６（図５Ｂ参照）を、基板収納空間２７の内方（図８Ｂにおける右方向Ｄ３２）へ湾曲するように弾性変形させながら、支持壁５２の後部を第１側壁２５に接近するように左方向Ｄ３１へ押圧する。
【００７２】
これにより、係合当接面５２９（図８Ｂ参照）の端縁が狭通路形成壁２５３の延出方向における端縁を乗り越える。そして、被係止板部５２７が狭通路形成壁２５３に係止されることにより、即ち、奥壁側の支持壁５２の部分である奥側部が、奥側係止部に係止されることにより、支持壁５２が第１側壁２５に固定される。このとき、図８Ｂに示すように、係合当接面５２９は、狭通路形成壁２５３の後方向Ｄ１２の側の面２５３Ｃに、面当接する。また、被係止部延出部５２６は、狭い通路２５３Ａに挿入されている。また、ロの字状枠部５２５Ｃ（図６Ａ参照）の貫通孔に前方凸部２５２（図３参照）が挿入されている。
【００７３】
基板支持板状部５を第１側壁２５から取り外すときには、先ず、被係止部延出部５２６（図８Ｂ参照）を、基板収納空間２７の内方（図８Ｂにおける右方向Ｄ３２）へ湾曲するように弾性変形させながら、支持壁５２の後部を基板収納空間２７の内方へ引き寄せる。これにより、係合当接面５２９の端縁が狭通路形成壁２５３の延出方向における端縁を乗り越える。これにより被係止板部５２７が狭通路形成壁２５３から外れることにより、即ち、奥壁側の支持壁５２の部分（奥側部）が、奥側係止部としての狭通路形成壁２５３から外れることにより、支持壁５２の第１側壁２５への固定が解除される。
【００７４】
このとき、ロの字状枠部５２５Ｃの貫通孔から前方凸部２５２が外れる。そして、溝５２１Ａから溝嵌合リブ部２５１を取り外して嵌合を解除させることにより、基板支持板状部５は、第１側壁２５から取り外される。
【００７５】
上記構成の第１実施形態に係る基板収納容器１によれば、以下のような効果を得ることができる。
【００７６】
前述のように、支持壁５２は、複数の板部５１に交差する方向へ複数の板部５１の全体にわたって直線状に延びる溝５２１Ａが形成された溝形成部５２１を有し、第１側壁２５の内面には、溝５２１Ａに嵌合可能な直線状に延出する溝嵌合リブ部２５１が存在する。
【００７７】
このため、側方基板支持部としての基板支持板状部５の成形収縮による変形、例えば、反り等を、変形が少ない容器本体２の溝嵌合リブ部２５１に倣わせて矯正することができ、基板Ｗを支持する部材の組立精度を向上させることができる。
【００７８】
また、支持壁５２は、溝５２１Ａの延びる方向における溝５２１Ａの中央部に形成された被位置決め部としての位置合せリブ５２３を有し、溝嵌合リブ部２５１の延出方向における溝嵌合リブ部２５１の中央部には、被位置決め部を係止可能な位置決め部としての位置決め溝２５１Ａが存在する。
【００７９】
このため、溝５２１Ａの延出する方向における一端を基準として位置決めする場合と比較して、位置決め溝２５１Ａで位置合せリブ５２３を係止することにより、溝５２１Ａの両端における複数の板部５１間のピッチ方向における寸法誤差を、１／２にすることができる。この結果、従来のように、ピンと穴とを嵌合させて容器本体に支持壁を固定する構成の場合には、各ピンや穴の寸法を各ピンや穴において調整する必要があったが、このような調整を不要とすることができる。
【００８０】
また、基板支持板状部５は、溝５２１Ａ内に形成され溝５２１Ａの延びる方向に直交する方向における溝５２１Ａの幅を狭めるように突出する突起５２２を有する。このため、突起５２２の突出量を調整することにより、第１側壁２５に対する基板支持板状部５の位置を微調整することができる。また、第１側壁２５に対して基板支持板状部５にガタが生じている場合に、突起５２２の突出量を調整することにより、ガタをなくすことができる。
【００８１】
また、溝形成部５２１は、容器本体開口部側の支持壁５２の部分である開口側部に存在し、奥壁側の支持壁５２の部分である奥側部は、奥側係止部に係止可能な奥側被係止部を有する。そして奥側被係止部は、弾性変形可能であり溝５２１Ａの開口する方向に延びる被係止部延出部５２６と、被係止部延出部５２６の延出端部に形成され、溝５２１Ａの延びる方向に被係止部延出部５２６よりも幅広に形成された被係止板部５２７とを有する。また、第１側壁２５の奥側係止部は、被係止部延出部５２６を挿入可能であるが被係止板部５２７を挿入不能とする狭い通路２５３Ａを形成する狭通路形成壁２５３を有する。
【００８２】
このため、被係止部延出部５２６が狭い通路２５３Ａに挿入されているときに、被係止板部５２７を狭通路形成壁２５３に係止することができる。そして、このように係止されることで、奥壁側の支持壁５２の部分は、奥側係止部に係止される。このため、支持壁５２の奥側と開口側部とにおいて、支持壁５２を第１側壁２５に係止することができる。
【００８３】
また、被係止部延出部５２６は、端部面５２５Ａよりも基板収納空間２７の内方へ突出せずに、端部面５２５Ａと一致する位置関係を有するため、基板支持板状部５が第１側壁２５から取り外される方向である奥側から開口側へと向かう方向（前方向Ｄ１１）へ基板支持板状部５が引っ張られた場合であっても、被係止板部５２７の狭通路形成壁２５３への係止が解除される方向である基板収納空間２７の内方へ、被係止板部５２７を移動しにくくすることができる。この結果、側方基板支持部としての基板支持板状部５を第１側壁２５から外れにくくすることができる。
【００８４】
また、被係止板部５２７は、狭通路形成壁２５３に係止されているときに、狭通路形成壁２５３に当接可能な係合当接面５２９を有するため、被係止板部５２７の狭通路形成壁２５３への係止を安定させることができる。
【００８５】
また、係合当接面５２９は、端部面５２５Ａよりも基板収納空間２７の内方へ突出せずに、端部面５２５Ａよりも基板収納空間２７の外方へ位置している。このため、基板支持板状部５が第１側壁２５から取り外される方向である奥側から開口側へと向かう方向（前方向Ｄ１１）へ基板支持板状部５が引っ張られた場合であっても、被係止板部５２７の狭通路形成壁２５３への係止が解除される方向である基板収納空間２７の内方へ、被係止板部５２７を移動しにくくすることができる。この結果、側方基板支持部としての基板支持板状部５を第１側壁２５から外れにくくすることができる。
【００８６】
また、支持壁５２には、溝５２１Ａと平行の位置関係を有する直線状のリブ５２４が溝５２１Ａの略全体にわたって対向して存在する。このため、板部支持部としての支持壁５２の強度を、複数の板部５１間のピッチ方向における全体にわたって高めることができる。
【００８７】
次に、本発明の第２実施形態による基板収納容器について図９Ａ〜図１０Ｂを参照しながら説明する。図９Ａは、本発明の第２の実施形態に係る基板収納容器の基板支持板状部５Ｂを示す前方斜視図である。図９Ｂは、本発明の第２の実施形態に係る基板収納容器の基板支持板状部５Ｂを示す拡大前方斜視図である。図９Ｃは、本発明の第２の実施形態に係る基板収納容器の基板支持板状部５Ｂを示す平面断面図である。図９Ｄは、本発明の第２の実施形態に係る基板収納容器の基板支持板状部５Ｂの被係止部延出部５２６及び被係止板部５２７を示す拡大平面断面図である。図１０Ａは、本発明の第２の実施形態に係る基板収納容器の容器本体２に基板支持板状部５Ｂが固定された様子を示す要部平面断面図である。図１０Ｂは、本発明の第２の実施形態に係る基板収納容器の容器本体２に基板支持板状部５Ｂが固定された様子を示す平面拡大断面図である。
【００８８】
第２実施形態による基板収納容器は、基板支持板状部５Ｂの係合当接面５２９Ｂの方向が異なる点において、第１実施形態による基板収納容器１とは異なる。第１実施形態における各構成と同様の構成については、同様の符号を付して説明を省略する。
【００８９】
図８Ｂと対比しながら図１０Ｂを参照すると分かるように、係合当接面５２９Ｂは、基板収納空間２７の内方（右方向Ｄ３２）へ向かうにつれて、容器本体開口部２１へ向かう平坦な斜面（前方向Ｄ１１へ向かう平坦な斜面）により構成されている。従って、係合当接面５２９Ｂにおいて、狭通路形成壁２５３の後方向Ｄ１２の側の面２５３Ｃに当接するのは、基板収納空間２７の内方側の端縁（右方向Ｄ３２側の端縁）のみである。
【００９０】
上記構成の第２実施形態による基板収納容器によれば、以下のような効果を得ることができる。
【００９１】
係合当接面５２９Ｂは、基板収納空間２７の内方へ向かうにつれて、容器本体開口部へ向かう斜面により構成されている。このため、基板支持板状部５が第１側壁２５から取り外される方向である奥側から開口側へと向かう方向（前方向Ｄ１１）に基板支持板状部５が引っ張られた場合であっても、被係止板部５２７の狭通路形成壁２５３への係止が解除される方向である基板収納空間２７の内方へ、被係止板部５２７を極めて移動しにくくすることができる。この結果、側方基板支持部としての基板支持板状部５を第１側壁２５から極めて外れにくくすることができる。
【００９２】
次に、本発明の第３実施形態による基板収納容器について図１１Ａ〜図１１Ｄを参照しながら説明する。図１１Ａは、本発明の第３の実施形態に係る基板収納容器１の基板支持板状部５Ｃを示す前方斜視図である。図１１Ｂは、本発明の第３の実施形態に係る基板収納容器１の基板支持板状部５Ｃを示す拡大前方斜視図である。図１１Ｃは、本発明の第３の実施形態に係る基板収納容器１の基板支持板状部５Ｃを示す平面断面図である。図１１Ｄは、本発明の第３の実施形態に係る基板収納容器１の基板支持板状部５Ｃの被係止部延出部５２６Ｃ及び被係止板部５２７を示す拡大平面断面図である。
【００９３】
第３実施形態による基板収納容器は、基板支持板状部５Ｃの被係止部延出部５２６Ｃが端部面５２５Ａよりも基板収納空間２７の外方（左方向Ｄ３１）へ位置している点において第１実施形態による基板収納容器１とは異なる。第１実施形態における各構成と同様の構成については、同様の符号を付して説明を省略する。
【００９４】
図１１Ａ〜図１１Ｄに示すように、被係止部延出部５２６Ｃは、凹部５２５Ｂを構成している端部壁５２５の部分であって、端部面５２５Ａよりも基板収納空間２７の外方（左方向Ｄ３１）の部分と一体成形されて接続されている。そして被係止部延出部５２６Ｃは、凹部５２５Ｂを構成している端部壁５２５の部分から、溝５２１Ａの開口する方向である後方向Ｄ１２へ延出している。従って、図１１Ｄ等に示すように、被係止部延出部５２６Ｃは、端部面５２５Ａよりも基板収納空間２７の内方へ突出せずに、端部面５２５Ａよりも基板収納空間２７の外方（左方向Ｄ３１）へ位置している。
【００９５】
また、被係止部延出部５２６Ｃの延出端部は、被係止板部５２７の幅広い部分５２８であって、幅広い部分５２８の最も前側に位置している部分に、一体成形されて接続されている。
【００９６】
上記構成の第３実施形態による基板収納容器によれば、以下のような効果を得ることができる。
【００９７】
被係止部延出部５２６Ｃは、端部面５２５Ａよりも基板収納空間２７の内方へ突出せずに、端部面５２５Ａよりも基板収納空間２７の外方へ位置している。このため、基板支持板状部５が第１側壁２５から取り外される方向である奥側から開口側へと向かう方向（前方向Ｄ１１）へ基板支持板状部５が引っ張られた場合であっても、被係止板部５２７の狭通路形成壁２５３への係止が解除される方向である基板収納空間２７の内方へ、被係止板部５２７を極めて移動しにくくすることができる。この結果、側方基板支持部としての基板支持板状部５Ｃを第１側壁２５から極めて外れにくくすることができる。
【００９８】
本発明は、上述した実施形態に限定されることはなく、特許請求の範囲に記載された技術的範囲において変形が可能である。例えば、基板収納容器１の形状や構成は、上述した実施形態の形状や構成に限定されない。具体的には、例えば、係合当接面５２９は、端部面５２５Ａよりも基板収納空間２７の外方へ位置していたが、これに限定されない。例えば、係合当接面は、端部面５２５Ａよりも基板収納空間２７の内方へ突出せずに、端部面５２５Ａと一致する位置関係を有していてもよい。
【符号の説明】
【００９９】
１  基板収納容器
２  容器本体
３  蓋体
５  基板支持板状部（側方基板支持部）
２０  壁部
２１  容器本体開口部
２２  奥壁
２３  上壁
２４  下壁
２５  第１側壁
２６  第２側壁
２７  基板収納空間
５１  板部
５２  支持壁（板部支持部）
２５１  溝嵌合リブ部
２５１Ａ  位置決め溝（位置決め部）
２５３  狭通路形成壁（奥側係止部）
２５３Ａ  狭い通路
５２１  溝形成部
５２１Ａ  溝
５２２  突起
５２３  位置合せリブ（被位置決め部）
５２４  直線状のリブ
５２５Ｃ  ロの字状枠部（端部係合部）
５２６  被係止部延出部
５２７  被係止板部
５２９  係合当接面
Ｗ  基板
【図１】
2014203359.tif 000003
【図２】
2014203359.tif 000004
【図３】
2014203359.tif 000005
【図４Ａ】
2014203359.tif 000006
【図４Ｂ】
2014203359.tif 000007
【図５Ａ】
2014203359.tif 000008
【図５Ｂ】
2014203359.tif 000009
【図６Ａ】
2014203359.tif 000010
【図６Ｂ】
2014203359.tif 000011
【図６Ｃ】
2014203359.tif 000012
【図６Ｄ】
2014203359.tif 000013
【図７】
2014203359.tif 000014
【図８Ａ】
2014203359.tif 000015
【図８Ｂ】
2014203359.tif 000016
【図９Ａ】
2014203359.tif 000017
【図９Ｂ】
2014203359.tif 000018
【図９Ｃ】
2014203359.tif 000019
【図９Ｄ】
2014203359.tif 000020
【図１０Ａ】
2014203359.tif 000021
【図１０Ｂ】
2014203359.tif 000022
【図１１Ａ】
2014203359.tif 000023
【図１１Ｂ】
2014203359.tif 000024
【図１１Ｃ】
2014203359.tif 000025
【図１１Ｄ】
2014203359.tif 000026
【国際調査報告】
2014203359.tif 000027
2014203359.tif 000028
2014203359.tif 000029
2014203359.tif 000030